(57)【特許請求の範囲】
【請求項１】
ディスク状記録媒体が着脱可能に装着されると共に前記ディスク状記録媒体を回転させるディスク装着部と、
前記ディスク装着部により回転駆動される前記ディスク状記録媒体のレーベル面にむけてインク滴を吐出する印刷ヘッドと、を備えたディスク記録及び／又は再生装置において、
前記ディスク装着部に装着された前記ディスク状記録媒体の近傍に、電圧が印加されることにより、前記印刷ヘッドから吐出されたインク滴のミストを誘引するミスト誘引部と、を設け、
前記ミスト誘引部は、前記印刷ヘッドに対して前記ディスク状記録媒体の回転方向の下流側に配置され、
前記ディスク状記録媒体が回転駆動する際に生じる空気の流れによって前記インク滴のミストを前記ミスト誘引部に移動させる
ディスク記録及び／又は再生装置。
【請求項２】
前記ミスト誘引部は、前記ディスク装着部に装着された前記ディスク状記録媒体の前記レーベル面、前記レーベル面と反対側の情報記録面、及び／又は前記ディスク状記録媒体の半径方向外側に対向される電極板と、前記電極板に電圧を印加する高電圧電源部と、を有する
請求項１に記載のディスク記録及び／又は再生装置。
【請求項３】
ディスク状記録媒体の半径方向外側に対向される電極板は、前記ディスク状記録媒体の外周面に対応させて曲面形状とした
請求項２に記載のディスク記録及び／又は再生装置。
【請求項４】
前記電極板の前記ディスク状記録媒体と対向する面に、前記ミストを吸着するミスト吸着部を設けた
請求項２に記載のディスク記録及び／又は再生装置。
【請求項５】
前記電極板と前記ミスト吸着部との間に、前記ミスト吸着部に吸着された前記ミストの水分が前記電極板に移動するのを阻止する非透過部を介在させて設けた
請求項４に記載のディスク記録及び／又は再生装置。
【請求項６】
回転駆動される前記ディスク状記録媒体の近傍に配置された前記ミスト誘引部に電圧を印加することにより形成される電界の強度が２００ｋＶ／ｍ以上となるように、前記電極板に電圧が印加される
請求項２に記載のディスク記録及び／又は再生装置。
【請求項７】
回転駆動されるディスク状記録媒体の近傍で、かつ前記ディスク状記録媒体のレーベル面にむけてインク滴を吐出する印刷ヘッドに対して記ディスク状記録媒体の回転方向の下流側に配置されたミスト誘引部に電圧を印加する工程と、
前記ディスク状記録媒体が回転駆動する際に生じる空気の流れによって、前記ディスク状記録媒体のレーベル面に向けて吐出されるインク滴のミストを前記ミスト誘引部に移動させる工程と、
前記ミストに電圧を印加し、前記ミストを前記ミスト誘引部に誘引させる工程と、を含む
ディスク記録及び／又は再生装置のミスト吸着方法。 
【発明の詳細な説明】
【技術分野】
【０００１】
本発明は、ディスク状記録媒体を記録メディアとして用いて、光やニア・フィールド光（光の波長よりも伝播距離が短い近接場光）或いは光と磁気若しくは磁気のみ等の記録・再生方法を使用して情報を記録（書込み）したり、再生（読出し）することが可能なディスク記録及び／又は再生装置に関し、特に、そのディスク記録及び／又は再生装置に用いるディスク状記録媒体に記録されている情報やその情報に関連する事項等を文字や記号、写真、絵、模様等でレーベル面等に印刷する際に発生するインク滴のミストを吸着することができるレーベル印刷機能を有するディスク記録及び／又は再生装置、及びその印刷時に発生するミストを吸着するミスト吸着方法に関する。
【背景技術】
【０００２】
ディスク状記録媒体を用いて情報を記録したり再生したりするディスク記録及び／又は再生装置の代表的な例として、光ディスクを記録媒体として用いる光ディスク装置が一般的に知られている。この光ディスク装置は、ＣＤやＤＶＤ等の数メガバイト、数ギガバイトの記録容量を持った光ディスクを記録媒体として用いて、データを書き込んだり、読み出したりする装置として知られており、一般にも広く使われている。この光ディスク装置は、光ディスクの取扱い方法によってトレイ方式とスロットイン方式とに分けることができる。
【０００３】
トレイ方式の光ディスク装置は、装置筐体に対して出し入れ可能に構成されたトレイを有しており、このトレイに載置されて光ディスクが、装置筐体内の記録再生動作が実行されるディスク装着位置と、装置筐体外のディスク取出位置とに搬送されるようになっている。これに対し、スロットイン方式の光ディスク装置は、装置筐体にディスク出入口を設けると共に、そのディスク出入口の内側に、光ディスクを挟んで搬送するディスク搬送機構が設けられている。このスロットイン方式の光ディスク装置では、ディスク出入口に光ディスクを挿入すると、ディスク搬送機構がその光ディスクを挟んでディスク装着位置まで搬送する。また、イジェクト釦を操作してディスク排出動作を選択すると、ディスク搬送機構が、光ディスクを保持してディスク装着位置からディスク取出位置まで搬送するようになっている。
【０００４】
このような光ディスク装置に対しては、記録容量の増大や高密度記録等の要望が強く、その結果、近年では、高密度記録を可能としたＢＤ（Blu-Ray Disc  登録商標）やＨＤ−ＤＶＤ（High Definition-Digital Versatile Disc）等が提供されるようになった。これらＢＤ及びＨＤ−ＤＶＤは、基本的な構成は従来の光ディスク装置（ＤＶＤ等）と同様であるが、光源を短波長化することや、レンズの開口数（ＮＡ：Numerical Aperture）を大きくすることにより、ＤＶＤ等に比べて記録容量が５倍から１０倍以上に増加している。これら高密度に記録できる光ディスク装置が増えると、記録される情報量が飛躍的に増大し、また、記録された光ディスクの数が増えると、その光ディスクを管理することが容易でなくなる。
【０００５】
光ディスクの情報管理の基本は、その光ディスクには「何が」記録されているかを明らかにすることである、と考えられる。そのための方法として、記録されている情報の内容を、例えば、光ディスクの情報記録面に情報信号として書き込んだり、その情報記録面と反対側のレーベル面に手書きで書き込むこと等が提案されている。更に、レーベル面に書き込む方法として、インクジェット方式の印刷ヘッドを有する印刷装置を光ディスク装置に搭載し、この印刷装置によって書き込むことも提案されている。
【０００６】
このように光ディスク装置内部でレーベル印刷を実現するための装置として、例えば、光ディスクドライブにインクジェットヘッドを搭載して、回転する光ディスクにレーベル印刷を行う光ディスク装置が提案されている（例えば、特許文献１を参照）。
【０００７】
従来、光ディスクに限らず紙などへの印刷媒体へのインクジェット方式の印刷装置では、印刷ヘッドからインク滴が吐出されると、印刷ヘッドと印刷対象物との空間に、印刷対象面に到達する事なく浮遊するミスト（液滴）が発生していた。このミストは、印刷ヘッドから吐出されると、空気抵抗により失速し、周辺の気流に乗り浮遊する。そのため、この浮遊したミストが周囲に飛散することにより、印刷対象面以外に付着して装置の内部を汚染する、という問題があった。
【０００８】
このようなインクジェット方式の印刷装置での問題に対する対策の一つとして、例えば、特許文献２に開示されているようなものがある。特許文献２には、インクジェット記録装置において、記録ヘッドより噴射したインク液滴または一部を、静電気力により制御または回収して記録を行う記録装置に関するものが記載されている。この特許文献２に記載されたインクジェット記録装置（第１の従来例という。）は、インク液滴を噴射する噴射口と該噴射口内のインクを噴射させるエネルギー発生手段とを有するインクジェット記録ヘッドと、前記噴射口内にインクと電気的に導通して設けられた第１の電極と、前記噴射口から所定の距離だけ離間して該噴射口と対向する第２の電極と、前記第１と第２の電極間に対し、インクが該噴射口から噴射し始めてから噴射中に２個以上のインク液滴に分離するまでの時間中に、第１の電圧を印加し、直後に、該第１の電圧と同極性でかつ該第１の電圧より絶対値の小さい第２の電圧を印加する電圧制御手段を含んでいる。
【０００９】
また、このような問題に対する対策の他の例としては、例えば、特許文献３に記載されているようなものもある。特許文献３には、記録媒体上にインク等の記録液滴を吐出して画像を記録するインクジェット記録装置に関するものが記載されている。この特許文献３に記載されたインクジェット記録装置（第２の従来例という。）は、記録媒体に記録液滴を吐出して画像を記録する液体吐出記録装置において、記録領域へ空気を吹き出す手段と、前記吹き出し手段とは前記記録領域を介して反対側に配設されて空気を吸引する空気吸引手段とを備えている。
【００１０】
しかしながら、前述した第１の従来例及び第２の従来例の場合は、主走査として印刷ヘッドを並進移動させ、副走査として被印刷対象物を移動させて、主走査と副走査を直交させる印刷方式を採用（いわゆる、ＸＹ印刷方式）している。この印刷方式においては、印刷ヘッドを非印刷対象物の幅に相当する距離を移動させる必要があるため、印刷ヘッドの移動範囲全体にミスト吸着機構を設ける必要があった。
【００１１】
また、主走査における印刷ヘッドの移動は、往復運動であるため、印刷ヘッドの往復運動中におけるミストの飛散状態は、印刷ヘッドの往路時と復路時で異なる状態となっていた。そのため、前述した第１の従来例及び第２の従来例の場合では、ミスト吸着機構が有効に機能しないおそれがあった。その結果、印刷時に発生するインク滴のミストを確実に吸着することができず、このミストによって周辺部分が汚染される、という問題があった。
【特許文献１】特開平５−２３８００５号公報
【特許文献２】特開平５−１２４１８７号公報
【特許文献３】特開２００２−３０７７２５号公報
【発明の開示】
【発明が解決しようとする課題】
【００１２】
解決しようとする問題点は、従来のインクジェット方式の印刷装置は、主走査として印刷ヘッドを並進移動させると共に副走査として被印刷対象物を移動させて、主走査と副走査を直交させる印刷方式を採用（いわゆる、ＸＹ印刷方式）していた。そのため、ミストの飛散状態が、印刷ヘッドの往路時と復路時で異なるため、従来の印刷装置に用いられていたミスト吸着機構では、印刷時に発生するインク滴のミストを確実に吸着することができず、このミストによって周辺部分が汚染されるおそれがあった。その結果、このような印刷装置を光ディスク装置に搭載すると、例えば、光ピックアップの可動部や光学系にミストが付着して汚染され、情報信号の読み出しや書き込みが困難になり、記録・再生性能の劣化につながることになる、という点である。
【課題を解決するための手段】
【００１３】
本発明のディスク記録及び／又は再生装置は、ディスク状記録媒体が着脱可能に装着されると共にディスク状記録媒体を回転させるディスク装着部と、ディスク装着部により回転駆動されるディスク状記録媒体のレーベル面にむけてインク滴を吐出する印刷ヘッドと、を備えている。そして、ディスク装着部に装着されたディスク状記録媒体の近傍に、電圧が印加されることにより、印刷ヘッドから吐出されたインク滴のミストを誘引するミスト誘引部と、を設けた。そして、ミスト誘引部は、印刷ヘッドに対してディスク状記録媒体の回転方向の下流側に配置される。また、ディスク状記録媒体が回転駆動する際に生じる空気の流れによってインク滴のミストをミスト誘引部に移動させる。
【００１４】
また、本発明のディスク記録及び／又は再生装置のミスト吸着方法は、回転駆動されるディスク状記録媒体の近傍で、かつディスク状記録媒体のレーベル面にむけてインク滴を吐出する印刷ヘッドに対して記ディスク状記録媒体の回転方向の下流側に配置されたミスト誘引部に電圧を印加する工程と、ディスク状記録媒体が回転駆動する際に生じる空気の流れによって、ディスク状記録媒体のレーベル面に向けて吐出されるインク滴のミストをミスト誘引部に移動させる工程と、ミストに電圧を印加し、ミストをミスト誘引部に誘引させる工程と、を含む。
【００１５】
また、インク誘引部は、所定の電圧を印加される電極板を有していてもよい。この場合、電極板は、インク滴を吐出する印刷ヘッドから吐出されたインク滴のミストを誘引して電極板の表面に付着させることにより、インク滴のミストを捕集することができる。
また、電極板は、印刷ヘッドのインク吐出部に対して、ディスク状記録媒体の回転方向の下流側に配置されることが好ましい。
また、ディスク状記録媒体を収納するためのディスク収納部を、接地電位としてもよい。
また、電極板とディスク収納部との間の領域に形成される電界の強度が２００ｋＶ／ｍ以上となるように、電極板に電圧が印加されてもよい。
また、電極板は、インク吐出部よりも上方に配置されてもよい。
また、電極板は、ディスク状記録媒体のレーベル面側に対向される第１の電極板、及び／又はレーベル面と反対側の情報記録面側に対向される第２の電極板を有していてもよい。
また、電極板は、ディスク状記録媒体の半径方向外側に対向される電極板を有していてもよく、更にこの半径方向外側に対向される電極板は、ディスク状記録媒体の外周面に対応させて曲面形状として形成してもよい。
【発明の効果】
【００１６】
本発明のレーベル印刷機能を有するディスク記録及び／又は再生装置及びディスク状記録媒体のレーベル面への印刷方法によれば、ミスト誘引部に所定の電圧を印加して発生させた電界によって、インク滴のミストをミスト誘引部に誘引する。これにより、浮遊するミストによって周囲の装置が汚染されるのを防止することができ、例えば、光学ピックアップの可動部やレンズ等にミストが付着して汚染されるのを防止し、情報信号の記録・再生性能の劣化を防ぐことができる。
【発明を実施するための最良の形態】
【００１７】
所定の電圧が印加されることにより、印刷ヘッドから吐出されたインク滴のミストを誘引するミスト誘引部を設ける。これにより、例えば、光学ピックアップの可動部やレンズ等にミストが付着して汚染されるのを防止し、情報信号の記録・再生性能の劣化を防ぐことができるディスク記録及び／又は再生装置及びミスト吸着方法を、簡単な構成によって実現した。
【００１８】
図１〜図２７は、本発明の実施の形態の例を説明するものである。以下に、添付した図面を参照して、本発明の実施の形態の例を説明する。
【００１９】
図１乃至図１０は、本発明のディスク記録及び／又は再生装置の第１の実施の形態を示す光ディスク装置１である。この光ディスク装置１は、印刷対象物であるディスク状記録媒体の一具体例を示す光ディスク、例えば、ＣＤ（Compact Disc  登録商標）、ＣＤ−Ｒ（Recordable）、ＤＶＤ（Digital Versatile Disc 登録商標）、ＤＶＤ−ＲＷ（Rewritable）、ＢＤ（Blu-Ray Disc  登録商標）、ＨＤ−ＤＶＤ（High Definition-DVD）等の光ディスク、或いは、光磁気ディスク、磁気ディスク等の情報記録面に対して、新たに情報信号を記録（書込み）したり、予め記録されている情報信号を再生（読出し）したりすることが可能であると共に、印刷面の一具体例を示す光ディスク２のレーベル面に、文字、記号、写真、絵、模様等の可視情報を印刷できるようにしたトレイ方式の印刷機能付き記録再生装置である。
【００２０】
しかしながら、本発明のディスク記録及び／又は再生装置としては、情報の記録と再生の両方が可能な光ディスク装置に限定されるものではなく、情報信号の記録のみが可能なディスク記録装置や、情報信号の再生のみが可能なディスク再生装置に適用できることは勿論である。また、ディスク状記録媒体としては、レーザ光を用いて情報信号の記録や再生を行う光ディスクに限定されるものではなく、ニア・フィールド光を用いる光ディスク、光と磁気を用いる光磁気ディスク、磁気のみを用いる磁気ディスク等のように、外形がディスク状を形成している各種のディスク状記録媒体を記録メディアとして用いることができるものである。
【００２１】
図１は光ディスク装置１の外観斜視図、図２は筐体３の上面板５を取り除いた光ディスク装置１の斜視図、図３は同じく上面板５を取り除いた光ディスク装置１の平面図である。図１〜図３に示すように、光ディスク装置１は、中空の容器からなる筐体３と、この筐体３内に収納された装置本体８と、図示しないリモートコントローラ等の入力装置等を備えて構成されている。この光ディスク装置１には、図示しない画像表示装置や音声出力装置等の外部装置が電気的に接続可能とされており、光ディスク２の情報記録部から読み出した情報を画像や音声等で表示できるようになっている。画像表示装置としては、例えば、液晶ディスプレイ装置、有機ＥＬディスプレイ装置、プラズマディスプレイ装置等をあげることができる。また、音声出力装置としては、例えば、スピーカ装置等をあげることができる。
【００２２】
光ディスク装置１の筐体３は、長方形をなすベース板４と、このベース板４の上面を覆う上面板５と、前面を覆う前面板６と、背面を覆う背面板７を備えており、全体として中空の容器が構成されている。筐体３のベース板４の幅方向の両側には、それぞれ側面部４ａ，４ａが設けられている。各側面部４ａは、ベース板４の長手方向に所定の高さで延在されている。上面板５は、長方形をなす上面部５ａと、この上面部５ａの幅方向の両側に連続して形成されていて側面を覆う左右の側面部５ｂ，５ｂを有している。この上面板５は、ベース板４の上部に装着され、両側面部５ｂ，５ｂを図示しない固定ネジで各側面部４ａ，４ａに固定することによって取り付けられている。この上面板５とベース板４とで構成される筒状の前側開口部が前面板６によって閉じられ、後側開口部が背面板７によって閉じられている。そして、前面板６と背面板７は、図示しない固定ネジによってベース板４と上面板５にネジ止めされている。
【００２３】
前面板６の高さ方向の略中央部には、横方向に延在されたディスク出入口１１が設けられている。ディスク出入口１１には、ディスクトレイ１２が出し入れ可能に装着されている。ディスクトレイ１２は、ディスク収納部１３に載置された光ディスク２を、筐体３外のディスク取出位置と、光ディスク２に対して情報信号の記録（書込み）及び再生（読出し）が実行される筐体３内のディスク装着位置とに選択的に搬送するものである。このディスクトレイ１２は、光ディスク２よりもやや大きな平面長方形をなす板状部材からなるトレイ本体１４と、このトレイ本体１４の長手方向の一端に固定された遮蔽板１５とからなっている。トレイ本体１４の一方の平面である上面に、光ディスク２を収納するための円形の凹部からなるディスク収納部１３が設けられている。
【００２４】
また、トレイ本体１４には、後述するディスク装着部との接触を避けるための切欠き部１６が設けられている。この切欠き部１６は、ディスクトレイ１２の一方の短辺からディスク収納部１３の中央部に至るまで大きく切り欠かれて形成されている。トレイ本体１４の切欠き部１６と反対側の短辺に、遮蔽板１５が一体的に設けられている。遮蔽板１５は、ディスクトレイ１２がディスク装着位置へ移動したときに、ディスク出入口１１を閉じる蓋の機能を果たすものである。この遮蔽板１５は、ディスク出入口１１の形状に見合う横長の長方形とされており、ディスク出入口１１に着脱可能に嵌合される。
【００２５】
光ディスク装置１の装置本体８は、ディスクドライブ装置９と印刷装置１０と制御装置８０（図１０を参照）等を備えて構成されている。ディスクドライブ装置９は、提供される光ディスク２の情報記録部に対して情報信号を書き込んで新たに情報を記録したり、情報記録部に予め記録されている情報を読み出して再生したりするものである。また、印刷装置１０は、提供される光ディスク２のレーベル面やそのレーベル面に貼り付けられているレーベルシート等に、情報記録部に予め記録されている情報や新たに記録された情報等に関連する事項を文字や数字、写真、絵や模様等の可視情報として印刷して表示するものである。そして、制御装置は、これらディスクドライブ装置９及び印刷装置１０、並びに必要によってその他の装置を駆動制御して、ディスクドライブ装置９に所定の記録再生動作及びその他の動作を実行させたり、印刷装置１０に所定の印刷動作及びその他の動作を実行させるものである。
【００２６】
図４は、図２に示す光ディスク装置１から印刷装置１０を取り除いた状態を示す斜視図である。この実施例では、筐体３内の下方にディスクドライブ装置９が配置され、筐体３内の上方に印刷装置１０が配置されている。この配置を実現するため、筐体３の内部には、その空間部を上下方向に仕切るシャーシプレート１７が配置されている。図５は、シャーシプレート１７に印刷装置１０を搭載した状態を示す斜視図である。シャーシプレート１７は、ベース板４よりやや小さい長方形の板体からなり、その内部には所定の幅で長手方向に延在された長方形の開口穴１８が表裏面を貫通するように設けられている。このシャーシプレート１７の一方の面である上面に印刷装置１０が搭載され、他方の面である下面との間に所定の隙間をあけてディスクドライブ装置９が配置されている。
【００２７】
ディスクドライブ装置９は、この種の光ディスク装置において一般的に用いられているものと同様の構成であるため、ここでは構成等を簡単に説明する。ディスクドライブ装置９は、光ディスク２が着脱可能に装着されるディスク装着部２０（図３を参照）を有するディスク回転機構と、ディスク装着部２０を昇降動作させて光ディスク２のチャッキング及びその解除動作を行う装着部昇降機構と、光ディスク２に対する情報信号の記録及び再生を行うピックアップ装置の一具体例を示す光学ピックアップ２３と、その光学ピックアップ２３を光ディスク２の半径方向へ移動させるピックアップ移動機構と、これらの機構等を駆動制御するドライブ制御回路等を備えて構成されている。
【００２８】
ディスク回転機構は，例えば、ステッピングモータやＤＣサーボモータが用いられるスピンドルモータと、このスピンドルモータの回転軸に固定されるターンテーブルとから構成されている。このターンテーブルにより、光ディスク２が着脱可能に装着されるディスク装着部２０が構成されている。ターンテーブルが取り付けられたステッピングモータは、ディスクトレイ１２がディスク装着位置に搬送されたときに、ディスク収納部１３の略中央部に位置するように配置されている。ターンテーブルは、光ディスク２の中心穴に着脱可能に嵌合されるディスク嵌合部と、その中心穴の周囲を支持するディスク載置部とを有している。
【００２９】
装着部昇降機構は、ディスク装着位置においてディスク回転機構を昇降動作させることにより、ターンテーブルに光ディスク２を装着したり、その装着を解除するものである。この装着部昇降機構は、例えば、スピンドルモータが搭載されると共に筐体３のベース板４に揺動可能に支持されるモータベースと、このモータベースを揺動させるカム機構と、このカム機構を動作させてスピンドルモータを昇降させる電動モータ等によって構成される。スピンドルモータの上方には、チャッキングプレート２７が配置されている。このチャッキングプレート２７は、スピンドルモータの昇降動作によって持ち上げられた光ディスク２を、ターンテーブルに内蔵された磁石で吸着されて上から押えるものである。このチャッキングプレートとターンテーブルとで光ディスク２を挟持することにより、光ディスク２がターンテーブルから抜け出すこと、及び／又はターンテーブル上で滑ることを防止している。
【００３０】
チャッキングプレート２７は、ベース板４の側面部４ａの上端縁に固定されたプレート支持板２８によって回転自在に支持されている。プレート支持板２８は、長方形の板状部材からなり、その長手方向の一側にチャッキングプレート２７が回転自在に支持されている。プレート支持板２８は、その長手方向の他側をベース板４の側面部４ａの上端縁に固定することによって片持ち状に取り付けられている。プレート支持板２８は、補助板２９によって支えられ、撓み難いように支持されている。このプレート支持板２８によって支持されたチャッキングプレート２７の位置が、光ディスク２に対して光学ピックアップ２３による情報信号の記録（書込み）及び再生（読出し）が行われるディスク装着位置となっている。
【００３１】
このディスク装着位置と筐体３外のディスク取出位置との間にディスクトレイ１２が、トレイ搬送機構によって搬送可能とされている。トレイ搬送機構は、この種の光ディスク装置において一般的に用いられているものと同様の構成であるため、ここでは構成等を簡単に説明する。トレイ搬送機構は、例えば、ディスクトレイ１２に設けたラック部と、このラック部に噛合されるピニオンと、このピニオンを回転駆動する電動モータ等によって構成される。電動モータを駆動してピニオンを回転させることにより、その回転力がラック部に伝達される。これにより、電動モータの回転方向に応じてディスクトレイ１２が、ディスク装着位置からディスク取出位置に搬送され、又は、ディスク取出位置からディスク装着位置に搬送される。
【００３２】
このトレイ搬送機構の動作時、ディスクドライブ装置９の光学ピックアップ２３、特に、光ディスク２の情報記録部に臨むことになるピックアップレンズ及びその近傍部分は、ディスクトレイ１２の切欠き部１６内に入り込む。そして、ディスクトレイ１２のディスク収納部１３に載置されている光ディスク２がターンテーブルに装着されて所定量を持ち上げられると、その光ディスク２の下側に光学ピックアップ２３が入り込む。これにより、光学ピックアップ２３による光ディスク２の情報記録部に対する情報信号の書き込み及び読み出しが可能となる。なお、図４に示す符号３０は、トレイ搬送機構を排出動作させるためのイジェクト釦である。
【００３３】
かくして、ディスクトレイ１２がディスク装着位置に搬送された際に、装着部昇降機構によってモータベースを上昇させることにより、スピンドルモータが上方に移動される。このとき、ターンテーブルのディスク嵌合部が光ディスク２の中心穴に嵌合され、光ディスク２がディスク収納部１３から所定距離だけ持ち上げられる。そして、ターンテーブルに内蔵されている磁石によりチャッキングプレートが吸引され、そのチャッキングプレートとターンテーブルとで光ディスク２が挟持される。また、装着部昇降機構を逆方向へ動作させてモータベースを下降させることにより、ターンテーブルのディスク嵌合部が光ディスク２の中心穴から下方へ抜け出す。これにより、光ディスク２がターンテーブルから抜け出してディスク収納部１３に載置される。
【００３４】
光学ピックアップ２３は、例えば、光検出器と、対物レンズと、この対物レンズを光ディスク２の情報記録部に臨ませる二軸アクチュエータ等を有している。光学ピックアップ２３の光検出器は、光ビームを出射する光源となる半導体レーザと、戻りの光ビームを受光する受光素子等から構成されている。この光学ピックアップ２３は、半導体レーザから光ビームを出射し、その光ビームを対物レンズにより集光して光ディスク２の情報記録部に照射すると共に、その情報記録部で反射された戻りの光ビームを光検出器で受光する。これにより、光学ピックアップ２３は、情報記録部に情報信号を記録（書込み）したり、予め情報記録部に記録されている情報信号を再生（読取り）したりすることができる。
【００３５】
この光学ピックアップ２３はスライド部材２６に搭載されていて、そのスライド部材２６と一体に移動される。また、スライド部材２６には、図示しない２本のガイド軸が互いに平行とされて摺動可能に挿通されている。２本のガイド軸は、光ディスク２の情報記録部の前面をなす主面と略平行に配置され、ディスクトレイ１２の移動方向に延在されている。この２本のガイド軸に摺動可能に保持されたスライド部材２６が、ピックアップ移動機構によって光ディスク２の半径方向へ移動可能とされている。
【００３６】
ピックアップ移動機構としては、例えば、送りネジと送りナットの組み合わせからなる送りネジ機構を適用することができる。しかしながら、ピックアップ移動機構は送りネジ機構に限定されるものではなく、例えば、ラック・ピニオン機構、ベルト送り機構、ワイヤ送り機構その他の機構を適用することもできる。このピックアップ移動機構によって移動されるスライド部材２６の移動時に、光ディスク２の情報記録部に対する光学ピックアップ２３による情報信号の記録及び再生作業が実行される。
【００３７】
光ディスク装置１の印刷装置１０は、図２及び図３に示すように、インクタンクが収納された印刷ヘッド３１と、この印刷ヘッド３１を光ディスク２の印刷面に沿って移動させるヘッド移動機構３２と、印刷ヘッド３１と印刷面との間の距離を検出する距離検出部３３（図示せず）と、この距離検出部３３の検出素子等をクリーニングするクリーニング機構３４（図示せず）と、これら印刷ヘッド３１とヘッド移動機構３２と距離検出部３３とクリーニング機構３４等の動作を制御する印刷等制御回路（図示せず）等を備えて構成されている。
【００３８】
印刷ヘッド３１は、例えば、図９に示すような構成を有している。図９は、レーベル印刷に用いられるインクジェット方式の印刷ヘッド３１で、インクタンク部とインク吐出部が一体に構成されている方式のものである。
【００３９】
図９に示す印刷ヘッド３１は、１個の中空のヘッド筐体３６を備えており、そのヘッド筐体３６の内部に、１色（例えば、ブラック）又は２以上の色（例えば、マゼンタ、シアン、イエローの３色等）の収納部を有するインクタンクと、各色をノズルから個別に吐出させるインク吐出機構（図示しない）が収納されている。ヘッド筐体３６は、直方体の一面の長手方向の略半分に、直方体の膨出部３６ａを設けることによって構成されている。この膨出部３６ａの略中央部に、インクを吐出するためのインク吐出部３７が設けられている。インク吐出部３７には、多数の微細な直径の孔（直径が数μ〜数十μの数百個の孔）からなるノズルが設けられており、それらのノズルは、使用される色の数と同数の列として配列されている。例えば、マゼンタ、シアン、イエローの３色を用いる印刷ヘッドの場合には、３列のノズルが設けられている。
【００４０】
このような構成を有する印刷ヘッド３１が、ヘッド移動機構３２によって光ディスク２の印刷面に沿って移動可能に構成されている。ヘッド移動機構３２は、印刷ヘッド３１を保持するヘッドホルダ４１と、このヘッドホルダ４１を移動可能に支持するヘッドスライダ４２と、このヘッドスライダ４２を移動可能に支持する２本のヘッドガイド軸４３Ａ，４３Ｂと、この２本のヘッドガイド軸４３Ａ，４３Ｂを固定して支持する２個のガイド軸受４４Ａ，４４Ｂと、印刷ヘッド３１を移動させる送りネジ軸４５及び送りナット４６と、送りネジ軸４５を回転駆動するヘッド送りモータ４７等を備えて構成されている。
【００４１】
ヘッドホルダ４１は、印刷ヘッド３１が嵌合される四角形の枠状をなす部材として構成されている。図９は、ヘッドホルダ４１に印刷ヘッド３１を嵌合して印刷ヘッド組立体５０を構成すると共に、その印刷ヘッド組立体５０を印刷ヘッド３１のインク吐出部３７側から斜めに見た説明図である。印刷ヘッド３１の組立時、インク吐出部３７はヘッドホルダ４１を貫通して、その一面である下面４１ａから下方へ突出されている。このヘッドホルダ４１の下面４１ａには、コの字状に形成されて下方へ突出された門形をなす取付ブラケット４８が設けられている。
【００４２】
この取付ブラケット４８の下面の略中央部に、距離検出部３３の一具体例を示す第１の距離検出センサ５１と第２の距離検出センサ５２の２つの距離検出センサ５１，５２が横並びに配置されて固定されている。第１及び第２の距離検出センサ５１，５２は、印刷ヘッド３１のインク吐出部３７の表面と、ディスク装着部２０に装着されて回転される光ディスク２の印刷面との間の距離を検出するものである。第１及び第２の距離検出センサ５１，５２としては、インク吐出部３７と光ディスク２の印刷面との間の距離Ｓを検出することができるものであればどのようなものでもよいが、例えば、反射型フォトインタラプタが好適である。
【００４３】
フォトインタラプタは、発光ダイオード（ＬＥＤ）とフォトダイオードがセットになった光センサであり、主に赤外線が使用されている。フォトインタラプタには、反射型と透過型があり、本発明には反射型を用いることができる。反射型フォトインタラプタは、ＬＥＤから光を出し、反射光等をフォトダイオードで検出して対象物の光の反射率を調べることにより、対象物との間の距離を精度よく検出することができる。この反射型フォトインタラプタの具体例としては、例えば、コーデンシ株式会社の反射型フォトインタラプタＳＧ−１０５を上げることができる。反射型フォトインタラプタＳＧ−１０５は、発光素子と受光素子が同一面に配置されており、検出物体の反射光によって物体までの距離を検出することができる。
【００４４】
２つの距離検出センサ５１，５２は、印刷ヘッド３１のインク吐出部３７に対する光ディスク２の半径方向内側であって、その光ディスク２の回転方向上流側に横並びに配置されている。この２つの距離検出センサ５１，５２を光ディスク２の回転方向上流側に配置する理由は、インク吐出部３７から吐出されるインクの一部がミストとなって空中を浮遊するため、そのミストが距離検出センサの検出部に付着し難いようにするためである。この実施例では、２つの距離検出センサ５１，５２は、インク吐出部３７の略中央部の延長線上であって、光ディスク２の回転中心側に配置されている。
【００４５】
なお、光ディスク２の印刷面は、その光ディスク２の一面をなすレーベル面２ａである。また、光ディスク２のレーベル面２ａにレーベルシート５３が貼り付けられている場合には、その貼付されているレーベルシート５３の表面５３ａが印刷面となる。印刷ヘッド３１が組み合わされたヘッドホルダ４１は、ヘッドスライダ４２によって相対的に移動可能に支持されている。
【００４６】
図６は、ヘッドホルダ４１とこれを支持するヘッドスライダ４２を図示した説明図である。また、図７は、印刷ヘッド３１と光ディスク２と光学ピックアップ２３の高さ方向における位置関係を説明する説明図である。図６及び図７に示すように、ヘッドスライダ４２の下方に、所定の隙間をあけて光ディスク２が臨むように構成されている。このとき光ディスク２は、シャーシプレート１７の反対側に配置されたディスクドライブ装置９のディスク回転機構のターンテーブル（図示せず。）に装着されており、そのターンテーブルに対して光学ピックアップ２３が、光ディスク２の主面である面方向と垂直をなす方向へ接近及び離反可能とされている。
【００４７】
ヘッドスライダ４２は、印刷ヘッド３１の長手方向となる前後方向に所定の間隔をあけて配置された前側部材４２Ａ及び後側部材４２Ｂと、左右方向に所定の間隔をあけて配置されると共に前側部材４２Ａと後側部材４２Ｂを連結する左右の連結部材５４Ａ，５４Ｂとから構成されている。前側部材４２Ａ及び後側部材４２Ｂは、それぞれ長手方向と交差する左右方向に所定の間隔をあけて上方に立ち上げられている。そして、一方の立上げ側の先端には、側方に突出する第１の軸受部５５ａ，５５ａが設けられ、他方の立上げ側の先端には、反対側の側方に突出する第２の軸受部５５ｂ，５５ｂが設けられている。
【００４８】
第１の軸受部５５ａ，５５ａには、それぞれ第１の軸受穴５６ａ，５６ａが設けられており、２つの第１の軸受穴５６ａ，５６ａは同一軸心線上に設定されている。同様に、第２の軸受部５５ｂ，５５ｂには、それぞれ第２の軸受穴５６ｂ，５６ｂが設けられており、２つの第２の軸受穴５６ｂ，５６ｂも同一軸心線上に設定されている。そして、第１の軸受穴５６ａ及び第２の軸受穴５６ｂには、それぞれ軸受部材５８が装着されて圧入等の固定手段により固定されている。これらの軸受部材５８には、２本のヘッドガイド軸４３Ａ，４３Ｂが摺動自在に挿通されている。
【００４９】
図８は、印刷ヘッド３１がヘッドホルダ４１によって保持されている状態と、そのヘッドホルダ４１が３本のガイドピン５９ａ，５９ｂを介してヘッドスライダ４２に対して相対的に移動可能に支持されている状態を説明する説明図である。ヘッドホルダ４１の一方の長辺部には第１の支持板６１Ａが取り付けられ、他方の長辺部には第２の支持板６１Ｂが取り付けられている。２つの支持板６１Ａ，６１Ｂは、それぞれ上面部６２ａと側面部６２ｂを有しており、両面部の端部を連続させることによって断面形状がＬ字状をなす部材として形成されている。
【００５０】
２つの支持板６１Ａ，６１Ｂは、それぞれの側面部６２ｂをヘッドホルダ４１の長辺部に固定することによってヘッドホルダ４１と一体的に構成されている。これにより、第１の支持板６１Ａの上面部６２ａが、印刷ヘッド３１の幅方向の一側において前後方向に所定の間隔をあけて配置された第１の軸受部５５ａ，５５ａの上方に対向されている。そして、第２の支持板６１Ｂの上面部６２ａが、印刷ヘッド３１の幅方向の他側において前後方向に所定の間隔をあけて配置された第２の軸受部５５ｂ，５５ｂの上方に対向されている。
【００５１】
第１の支持板６１Ａの上面部６２ａの長手方向の両端には、その側面部６２ｂと略平行をなす方向である下方に延在されたガイドピン５９ａ，５９ａが設けられている。２本のガイドピン５９ａ，５９ａは、２つの軸受部５５ａ，５５ａの上面に開口するように設けたガイド孔６４ａ，６４ａにそれぞれ摺動可能に挿入されている。また、第２の支持板６１Ｂの上面部６２ａの長手方向の中間部には、その側面部６２ｂと略平行をなす方向である下方に延在された１本のガイドピン５９ｂが設けられている。ガイドピン５９ｂは、連結部材５４Ｂの上面に開口するように設けたガイド孔６４ｂに摺動可能に挿入されている。これらのガイドピン５９ａ，５９ａ，５９ｂ及びガイド孔６４ａ，６４ａ，６４ｂは、ヘッドホルダ４１の動きを規制して、ヘッドスライダ４２に対してヘッドホルダ４１を略平行移動させる機能を果たす第１のガイド機構を構成している。
【００５２】
更に、ヘッドスライダ４２に対するヘッドホルダ４１の平行移動の動作機能を高めるため、この実施例では、２つの長穴６５ａ，６５ａと、その長穴６５ａに摺動可能に係合される２つの突起６５ｂ，６５ｂとからなる第２のガイド機構６５が設けられている。２つの長穴６５ａ，６５ａは、第１の支持板６１Ａの側面部６２ｂにおいて、横方向へ所定の間隔をあけて配置されていると共に上下方向へ延在するように形成されている。これに対応するように、２つの突起６５ｂ，６５ｂは、第１の連結部材５４Ａの内面において、所定の間隔をあけて内側へ突出するように設けられている。
【００５３】
このように、ヘッドスライダ４２に対してヘッドホルダ４１を略平行に移動させるために２種類のガイド機構を設けた理由は、ヘッドホルダ４１を動作させるための動力源である電動モータを印刷ヘッド３１の水平方向の一側に配置しなければならない構造となっていたことによるものである。即ち、ヘッドスライダ４２に対してヘッドホルダ４１を相対的に移動させるためのステッピングモータ等からなる調整モータ６６が、ヘッドホルダ４１の幅方向の一側に配置されている。
【００５４】
調整モータ６６は、ヘッドスライダ４２側に固定される固定部６６ａと、この固定部６６ａに回転自在に保持された送りナットを有する回転部６６ｂと、その回転部６６ｂを貫通するネジ軸６７とを有している。調整モータ６６の固定部６６ａは、第１の連結部材５４Ａに設けた棚板６８上に搭載されて一体的に固定されている。また、ネジ軸６７は、第１の支持板６１Ａの下面に一端を固定することによってヘッドホルダ４１に取り付けられている。このネジ軸６７は、調整モータ６６の中心部を上下方向へ貫通して棚板６８の下方に突出されている。
【００５５】
上述した調整モータ６６と、ネジ軸６７とにより、印刷面に対して印刷ヘッド３１を接近又は離反させるように移動させて距離Ｓを調整する距離調整部６０が構成されている。かくして、調整モータ６６を駆動すると、その回転部６６ｂの回転に基づく送りナットの回転により、その回転方向に応じてネジ軸６７が、その軸方向へ移動する。このネジ軸６７の移動により、第１の支持板６１Ａを介して固定されているヘッドホルダ４１と共に印刷ヘッド３１が、ヘッドスライダ４２の移動方向（前後方向）と垂直をなす方向（光ディスク２の主面と垂直方向）へ相対的に移動される。
【００５６】
このとき、調整モータ６６は印刷ヘッド３１の一側に配置されており、ネジ軸６７の軸心線は印刷ヘッド３１の中心部から離れた位置にある。そのため、軸心線方向へ移動可能とされているネジ軸６７の移動力によって印刷ヘッド３１には回転モーメントが生じ、前記垂直をなす方向と直交する方向に向かう分力が印刷ヘッド３１に作用することになる。この直交方向の分力は、印刷ヘッド３１の垂直方向へのスムースな移動を妨げる抵抗力として作用する。
【００５７】
これに対して、この実施例では、ヘッドホルダ４１に２つの支持板６１Ａ、６１Ｂを固定すると共に、各支持板６１Ａ，６１Ｂにガイドピン５９ａ，５９ｂを設け、それらのガイドピン５９ａ，５９ｂを、ヘッドスライダ４２の前側部材４２Ａ及び後側部材４２Ｂに設けたガイド孔６４ａ，６４ａ並びに第２の支持板６１Ｂに設けたガイド孔６４ｂに摺動可能に係合している。しかも、３つのガイドピン５９ａ，５９ａ，５９ｂは、三角形を形成するようにバランス良く配置されているため、３つのガイドピン５９ａ，５９ａ，５９ｂを同じような状態で摺動させることができる。その結果、ヘッドホルダ４１を、略水平状態を維持して前記垂直をなす方向へスムースに平行移動させることができる。
【００５８】
更に、第１の支持板６１Ａの側面部６２ｂに２つの長穴６５ａ，６５ａを設け、これらに摺動可能に係合される２つの突起６５ｂ，６５ｂを第１の連結部材５４Ａに設けている。そのため、ヘッドホルダ４１の水平状態を更に精度よく維持することができ、そのヘッドホルダ４１を、前記垂直をなす方向へ確実且つスムースに移動させることができる。
【００５９】
このような構成を有する距離調整部６０を備えた印刷ヘッド３１が、２本のヘッドガイド軸４３Ａ，４３Ｂによって移動可能に支持されている。図５に示すように、第１のヘッドガイド軸４３Ａは、ヘッドスライダ４２の一側に設けた第１の軸受部５５ａ，５５ａの２つの軸受穴５６ａ，５６ａの各軸受部材５８に摺動自在に挿通されている。そして、第２のヘッドガイド軸４３Ｂが、ヘッドスライダ４２の他側に設けた第２の軸受部５５ｂ，５５ｂの２つの軸受穴５６ｂ，５６ｂの各軸受部材５８に摺動自在に挿通されている。
【００６０】
２本のヘッドガイド軸４３Ａ，４３Ｂは、シャーシプレート１７に設けた開口穴１８の長手方向に延在されていると共に、所定の間隔を保持して互いに平行に配置されている。そして、２本のヘッドガイド軸４３Ａ，４３Ｂは、２個のガイド軸受４４Ａ，４４Ｂにより固定されて両端支持されている。２個のガイド軸受４４Ａ，４４Ｂは、開口穴１８の長手方向の両端部に配置されており、固定ネジによってシャーシプレート１７にそれぞれ固定されている。
【００６１】
一方のヘッドガイド軸４３Ｂの外側には、送りネジ軸４５が所定の間隔をあけて配置されている。送りネジ軸４５は、２本のヘッドガイド軸４３Ａ，４３Ｂと平行に設定されており、その軸方向の一端に取り付けたジョイント７１によってヘッド送りモータ４７の回転軸と連結されている。ヘッド送りモータ４７はモータブラケット７２に固定されていて、そのモータブラケット７２は、固定ネジ等の固定手段によってシャーシプレート１７に固定されている。送りネジ軸４５には送りナット４６が螺合されており、その送りナット４６にはナット取付板７３が固定されている。ナット取付板７３は、固定ネジによってヘッドスライダ４２に固定されている。
【００６２】
かくして、ヘッド送りモータ４７を駆動すると、その回転軸の回転力がジョイント７１を介して送りネジ軸４５に伝達され、更に、送りナット４６に伝達される。このとき、送りナット４６はナット取付板７３を介してヘッドスライダ４２に固定されているため回転することはないが、ヘッドスライダ４２は２本のヘッドガイド軸４３Ａ，４３Ｂにガイドされてその軸方向へ移動可能とされている。そのため、送りナット４６は、送りネジ軸４５の回転方向に応じて、ヘッド送りモータ４７に近づく方向か又はヘッド送りモータ４７から遠ざかる方向へ選択的に移動する。これにより、ヘッドスライダ４２が送りナット４６と一体的に移動し、その結果、印刷ヘッド３１が、送りネジ軸４５の軸方向と同方向となっている前後方向に移動される。
【００６３】
印刷ヘッド３１の前後方向への移動は、２つの位置検出センサ７４，７５によって検出可能とされている。第１の位置検出センサ７４は、印刷ヘッド３１のインク吐出部３７が光ディスク２の半径方向内側へ移動し、中心部に最も近い部分を所定距離だけ通過したディスク内側停止位置を検出するものである。また、第２の位置検出センサ７５は、印刷ヘッド３１のインク吐出部３７が光ディスク２の半径方向外側へ移動し、中心部から最も遠く離れたディスク外側停止位置を検出するものである。
【００６４】
これらの位置を検出するため、位置検出片７６がナット取付板７３に取り付けられている。この位置検出片７６を第１の位置検出センサ７４で検出することによってディスク内側停止位置が検出され、その位置に印刷ヘッド３１が停止される。同様に、位置検出片７６を第２の位置検出センサ７５で検出することによってディスク外側停止位置が検出され、その位置に印刷ヘッド３１が停止される。
【００６５】
図３には、印刷装置１０が、シャーシプレート１７を取り除いた状態で筐体３内に収納されていて、ディスクトレイ１２等と重ね合わされている状態が表されている。この光ディスク装置１では、印刷装置１０の印刷ヘッド３１の略中心にあるインク吐出部３７を通るヘッド中心線Ｌｂは、ディスクドライブ装置９の中心部となっているディスク装着部（ターンテーブル）２０の回転中心Ｏｃを通る本体中心線Ｌａから距離Ｅだけ偏心した位置に設定されている。そのため、印刷ヘッド３１は光ディスク２の印刷面に対して、回転中心Ｏｃから距離Ｅだけ偏心したヘッド中心線Ｌｂの軌跡上を移動して印刷作業を実行する。
【００６６】
また、ヘッド中心線Ｌｂ上において、筐体３の奥側には、印刷ヘッド３１のインク吐出部３７に装着されるヘッドキャップ７７と、インク溜め７８が配置されている。ヘッドキャップ７７は、インク吐出部３７のノズルの乾燥を防ぎ、インクが乾いてノズルに詰まるのを防止するものである。また、インク溜め７８は、インク吐出部３７のノズルに空気が入らないように空うちして、インクが出ないといった印刷エラーを防止するものである。図２８は、光ディスク２の方向性を定義する説明図である。即ち、光ディスク２の半径方向Ｙがラジアル方向であり、これに直交する接線方向Ｘがタンジェンシャル方向を示している。
【００６７】
図１０は、光ディスク装置１における信号の流れを示したブロック図である。光ディスク装置１の制御装置８０は、中央制御部８１と、インターフェース部８２と、ドライブ制御部８３と、トレイ駆動回路８４と、記録制御回路８５と、信号処理部８６と、プリント画像生成部８７と、プリント制御部８８と、距離センサ駆動回路９０と、プリント機構部駆動回路９１と、インク吐出駆動回路９２と、インク残量検出回路９３と、高電圧電源部９６と、接地側電極９７と、高電圧側電極９８等を備えて構成されている。
【００６８】
中央制御部８１は、ドライブ制御部８３とプリント画像生成部８７とプリント制御部８８の制御をする部分である。この中央制御部８１は、インターフェース部８２から供給された記録データ信号をドライブ制御部８３へ出力する。また、中央制御部８１は、インターフェース部８２から供給される画像データ信号や、ドライブ制御部８３から供給される位置データ信号を、プリント画像生成部８７及びプリント制御部８８に出力する。
【００６９】
インターフェース部８２は、パーソナルコンピュータやＤＶＤレコーダ等の外部装置と光ディスク装置１とを電気的に接続する接続部である。このインターフェース部８２は、外部装置から供給された信号を中央制御部８１に出力する。この中央制御部８１に供給される信号は、外部装置に記憶された外部記憶情報に対応する信号であり、例えば、光ディスク２の情報記録部に記録する記録情報に対応した記録データ信号や、光ディスク２の印刷面（光ディスク２の表面又はレーベルシートの表面）に印刷する可視情報に対応した画像データ信号等を挙げることができる。更に、インターフェース部８２は、光ディスク装置１が光ディスク２の情報記録部から読み出した再生データ信号を外部装置に出力する。
このような外部装置との電気的な接続の仕様例としては、ＡＴＡ規格（AT Attachment）やＳｅｒｉａｌ  ＡＴＡ規格（ＳＡＴＡＴ）やＳＣＳＩ規格（Small Computer System Interface）やＵＳＢ規格（Universal Serial Bus）などを例示することができる。
【００７０】
ドライブ制御部８３は、ディスク回転機構のスピンドルモータ２１の回転を制御したり、トレイ駆動回路８４や記録制御回路８５の動作を制御する。即ち、ドライブ制御部８３は、中央制御部８１から供給される制御信号に基づいて制御信号を出力し、スピンドルモータ２１を駆動させる。これにより、スピンドルモータ２１のディスク装着部２０に装着された光ディスク２が、例えば、線速度を一定として回転駆動される。更に、ドライブ制御部８３は、トレイ駆動回路８４と記録制御回路８５の動作を制御するため、これらに制御信号を出力する。また、ドライブ制御部８３は、信号処理部８６から供給される位置データ信号を中央制御部８１に出力する。
【００７１】
トレイ駆動回路８４は、トレイ搬送機構の駆動モータ（図示しない）の回転を制御する。このトレイ駆動回路８４から出力される制御信号に基づいてトレイ用の駆動モータが駆動される。これにより、ディスクトレイ１２が、筐体３内のディスク装着位置と筐体３外のディスク取出位置との間を搬送される。また、記録制御回路８５は、光学ピックアップ２３による記録データ信号の記録や再生データ信号の再生等を制御する。
【００７２】
光学ピックアップ２３は、レーザ光源２３ａと受光素子２３ｂを有しており、レーザ光源２３ａから発射されてピックアップレンズから照射される光ビームが、光ディスク２の情報記録部で反射されて受光素子２３ｂに受光される。この光ビームを情報記録部に設けたトラックに追跡させてトラックサーボ及びフォーカスサーボを実行させるための制御信号を、記録制御回路８５が光学ピックアップ２３に出力する。この記録制御回路８５から供給される制御信号に基づいてピックアップ用の駆動モータが駆動される。これにより、光学ピックアップ２３が、スライド部材と一体に光ディスク２の半径方向へ移動される。
【００７３】
信号処理部８６は、光学ピックアップ２３から供給されるＲＦ（Radio Frequency）信号の復調及び誤り検出等を行い、再生データ信号を生成する。また、信号処理部８６は、ＲＦ信号に基づいて同期信号等の特定パターンを有する信号や光ディスク２の位置データを表す信号として位置データ信号を検出する。この位置データ信号としては、例えば、光ディスク２の回転角を示す回転角信号や、光ディスク２の回転位置を示す回転位置信号を挙げることができる。これら再生データ信号及び位置データ信号は、ドライブ制御部８３に出力される。
【００７４】
プリント画像生成部８７は、中央制御部８１から供給される制御信号に基づいてプリント画像を生成する。また、プリント制御部８８は、中央制御部８１から供給される制御信号に基づいて印刷装置１０の印刷ヘッド３１と、この印刷ヘッド３１を動作させるヘッド駆動機構と、印刷ヘッドと印刷面との間の距離を検出する距離検出部と、印刷ヘッド３１及び距離検出部をクリーニングするクリーニング機構等の制御を行う。
【００７５】
このプリント制御部８８は、プリント画像生成部８７で生成されて中央制御部８１から供給された画像データ信号により得られた画像データに基づいてインク吐出データを生成する。そして、プリント制御部８８は、生成したインク吐出データと、中央制御部８１から供給される位置データ信号に基づいて印刷装置１０を制御する制御信号を生成し、プリント機構部駆動回路９１と、インク吐出駆動回路９２とに制御信号を出力する。このプリント制御部８８によるプリント機構部駆動回路９１及びインク吐出駆動回路９２の制御により、印刷ヘッド３１の制御を介して光ディスク２の印刷面に所望の可視情報が印刷される。
【００７６】
プリント機構部駆動回路９１は、プリント制御部８８から供給される制御信号に基づいてヘッド送りモータ４７と、ヘッドキャップ７７と、吸引ポンプ９４と、ブレード９５とを駆動させる。このとき、ヘッド送りモータ４７が駆動されることにより、印刷ヘッド３１が光ディスク２の半径方向内側から外側へ移動される。印刷ヘッド３１の移動方向は、この実施例とは逆に、光ディスク２の半径方向外側から内側へ移動されるようにしてもよい。
【００７７】
インク吐出駆動回路９２は、プリント制御部８８から供給された制御信号に基づいて印刷ヘッド３１を駆動させる。これにより、印刷ヘッド３１のインク吐出部３７における各吐出ノズルからインク滴が吐出され、回転駆動された光ディスク２の印刷面にインク滴が付着される。印刷ヘッド３１には、例えば、Ｃ（シアン），Ｙ（イエロー），Ｍ（マゼンタ）の３色が収納されている。この３種類のインクの組み合わせにより、Ｒ（赤），Ｇ（緑），Ｂ（青）の各色の明るさを表す階調値で表現された画像データからなる可視情報として表示される。
【００７８】
更に、インク吐出駆動回路９２は、印刷ヘッド３１に収納されているインクの残量を検出し、その残量の多少を表示手段によって表示する。このインク残量の検出は使用されているインク毎に行われるが、インクの使用量は印刷条件によって異なるため、通常は、いずれかのインクの残量が所定量以下に減少することによって、インク残量が少ない旨の表示が行われる。
【００７９】
高電圧電源部９６は、プリント制御部８８からの制御信号に基づいて高電圧電源部９６の接地側出力と高電圧側出力との間に高電圧（例えば、数ｋＶの電圧）を印加する。高電圧電源部９６の接地側出力は、例えば印刷ヘッド３１やトレイ本体１４などの接地側電極９７に接続される。一方、高電圧電源部９６の高電圧側出力は、例えば電極板１０２などの高電圧側電極９８に接続される。プリント制御部８８からの制御信号は、印刷ヘッド３１のインク吐出部３７における各吐出ノズルからインク滴が吐出されている間、すなわちインクジェット方式での印刷処理の間、及び／又は、インク滴のミストがドライブ内部を浮遊している間にミストを誘引することができる。
【００８０】
そして、この高電圧の電位差及びドライブ内部の空間に生じる電界によって、後述するようにインク滴のミストをミスト誘引部に誘引する。なお、これらの高電圧の電位差の極性は、正であっても負であってもよい。
【００８１】
一般に、印刷装置１０の印刷ヘッド３１から吐出されるインク滴の全てが印刷面に着弾されるものではなく、着弾しなかったインク滴はミストとなって装置内に浮遊し、内部の機構や機器等を汚染する。ここで、図１２Ａに示すように、光ディスク２が回転していない状態で印刷ヘッド３１のインク吐出部３７からインク滴Ｎを吐出した場合、十分な吐出速度を受けたインク滴Ｎは、被印刷媒体である光ディスク２のレーベル面２ａに略垂直に落下してレーベル面２ａに付着する。
【００８２】
このように、印刷ヘッド３１と被印刷媒体である光ディスク２との間に相対的な移動が無く、かつ、周囲の空気の移動も少なければ、インク滴Ｎの吐出によるミストの発生は少なくなる。しかしながら、印刷ヘッド３１と被印刷媒体との相対的な移動が無ければ、インクヘット方式による画像の印刷は、困難である。そのため、印刷ヘッド３１と被印刷媒体との相対的な移動があることで、光ディスク２のレーベル面２ａに着弾しなかったインク滴Ｎは、ミストＭとなって装置内を浮遊する。
【００８３】
この実施例では、光ディスク２がディスク回転機構のスピンドルモータ２１により回転駆動されながら印刷が行う、いわゆる、Ｒθ印刷方式を用いている。図１１に示す矢印のように、光ディスク２がディスク装着部によって一定速度で回転すると、光ディスク２の周囲には、光ディスク２の回転に沿って、光ディスク２の中心から半径方向外側に向かう定常的な空気の流れが発生する。
【００８４】
そのため、図１２Ｂに示すように、光ディスク２の回転駆動した際に発生する空気流の中で印刷ヘッド３１のインク吐出部３７からインク滴Ｎを吐出すると、十分な吐出速度を受けたインク滴Ｎは、吐出後のインク滴Ｎが飛翔する速度と飛翔に対する空気抵抗とで生じる垂直方向の慣性力Ｇと、光ディスク２の回転する空気の流れにより受ける水平方向の力Ｒを受ける。そして、インク滴Ｎには、この慣性力Ｇと水平方向の力Ｒを合成した合成力Ｓが作用する。ここで、インク滴Ｎは、慣性力Ｇが水平方向の力Ｒよりも十分に大きいため、インク吐出部３７の真下から若干空気の流れの方向に移動して光ディスク２のレーベル面２ａに付着する。
【００８５】
また、吐出速度が遅いインク滴や空気抵抗を多く受けるようなインク滴（以下、ミストＭと言う）も同様に、吐出後のミストＭが飛翔する速度と飛翔に対する空気抵抗とで生じる垂直方向の慣性力Ｇｓと、空気の流れにより受ける水平方向の力Ｒｓを受ける。そして、ミストＭには、この慣性力Ｇｓと水平方向の力Ｒｓを合成した合成力Ｓｓが作用する。ここで、ミストＭにかかる慣性力Ｇｓは、吐出時の飛翔速度が遅いこと、及び／又はミストＭの大きさが小さいために飛翔に対する空気抵抗がその質量に比して大きいことなどから、十分な吐出速度を受けたインク滴Ｎにかかる慣性力Ｇよりも小さくなる。
【００８６】
その結果、ミストＭは、光ディスク２のレーベル面２ａに付着せずに、空気に流されて筐体３内を浮遊する。そのため、この浮遊するミストＭが、光学ピックアップ２３のピックアップレンズ等に付着して情報の読み書きを行うレンズを汚し、読み書きの不良を生じ易くしたり、電気回路等に付着して、動作不良を生じさせるおそれがあった。
【００８７】
図１３に示すように、この浮遊するミストＭを吸着して、不具合の発生を防止するために、この実施例では、筐体３内部にミスト誘引部１０１を設けている。ミスト誘引部１０１は、所定の電圧を印加することにより、光ディスク２が収納された空間内に電界を発生させて、ミストＭを静電気力により誘引し吸着するものである。このミスト誘引部１０１は、２つの電極板１０２，１０２と、この２つの電極板１０２，１０２に所定の電圧を印加する高電圧電源部１０３（図１０における高電圧電源部９６及び高電圧側電極９８などに相当する）とを有している。
【００８８】
２つの電極板１０２，１０２は、印刷ヘッド３１を間に挟んで、光ディスク２のレーベル面２ａと対向するように配置されている。２つの電極板１０２，１０２は、それぞれ天板１０７に支持されて筐体３を構成する上面板５の上面部５ａの内側に取り付けられている。なお、印刷ヘッド３１及びトレイ本体１４は、高電圧電源部９６の接地側出力及び接地側電極９７が接続されて接地（アース、０Ｖ）されている。
【００８９】
図１４に示すように、電極板１０２は、略平板状をなしており、略平板状をなす天板１０７に接着等の固定方法によって固定されている。この電極板１０２の材質としては、高電圧を導通させる導電性の材質が用いられ、例えば、銅、鉄、アルミ、金、銀等の金属又は、導電性の樹脂等が挙げられる。そして、この電極板１０２の光ディスク２と対向する面側には、ミストＭを吸着するミスト吸着部１０５を設けている。また、この電極板１０２とミスト吸着部１０５との間には、非透過部１０６が介在されている。これにより、この電極板１０２、ミスト吸着部１０５、非透過部１０６の３層構造になっている。
【００９０】
ミスト吸着部１０５は、略平板状をなしており、非透過部１０６を介して電極板１０２の光ディスク２と対向する面側に配置されている。ミスト吸着部１０５の材質としては、海綿、スポンジ等の多孔質材料又は、不織布、紙などの繊維状の材料が挙げられる。このように、ミスト吸着部１０５を多孔質又は繊維状の材料で形成したことにより、吸着した後のミストＭに含まれる染料や顔料等が電極板１０２から落下するおそれがなくなる。その結果、吸着したミストＭによって、光ディスク２のレーベル面２ａを汚すことを防止することができると共にユーザの皮膚や着衣に汚れが付着することを防止することができる。更に、ミスト吸着部１０５の表面性や表面構造及び電界の効果によって、ミストＭだけでなく埃や粉塵なども吸着することができ、筐体３内部の清浄性を高めることもできる。
【００９１】
非透過部１０６は、フィルム状をなしており、電極板１０２の一面全体を覆うように取り付けられ、電極板１０２とミスト吸着部１０５の間に介在されている。非透過部１０６の材質としては、ミストの水分を透過しない材質が用いられ、例えば、ＰＥ（ポリエチレン）、ＰＥＴ（ポリエチレンテレフタレート）、ＰＰ（ポリプロピレン）等の高分子系樹脂のフィルムが挙げられる。このように、非透過部１０６によって、電極板１０２を覆うことにより、飛散したミストＭの水分が電極板１０２に移動するのを阻止することができる。その結果、ミストＭが、電極板１０２に付着して漏電、放電及び感電することを防ぐことができる。更に、筐体３内部に異物が入った場合や、ユーザが電極板１０２に触れた場合でも、接触によって流れる電流を少なくすることができ、漏電、放電及び感電することを防ぐことも可能である。
【００９２】
次に、このような構成を有するミスト誘引部１０１のミスト吸着動作について説明する。まず、光ディスク２がスピンドルモータ２１により回転駆動されると、光ディスク２の周囲には一定の流速の空気の流れが生じる。なお、印刷ヘッド３１及びトレイ本体１４は、アースが接続されており、電位は０Ｖに設定されている。この環境下で、電極板１０２に電圧（例えば、−２ｋＶ）を印加すると、光ディスク２が収納された空間内には、電界が発生する。なお、電極板１０２に印加する電圧の極性は、正負いずれでも良い。
【００９３】
この状態で、印刷ヘッド３１から光ディスク２のレーベル面２ａに向けてインク滴Ｎを吐出する。すると、図１５に示すように、印刷ヘッド３１から十分な吐出速度を受けたインク滴Ｎは、電極板１０２への電圧の印加により発生した電界によって引力Ｅｍを若干受ける。また、インク滴Ｎは、光ディスク２の回転による空気の流れより作用する水平方向の力Ｒｍの影響も受ける。そして、慣性力Ｇｍと空気の流れによる力Ｒｍと電界による引力Ｅｍを合成した合成力Ｓｍが力の釣り合いとなって、インク滴Ｎの飛翔軌道に作用する。しかしながら、インク滴Ｎは、吐出による飛翔速度と空気抵抗による慣性力Ｇｍが大きいため、電極板１０２に吸着されることなく、光ディスク２のレーベル面２ａに付着する。
【００９４】
一方、インク滴ＮのミストＭは、吐出による飛翔速度と空気抵抗による慣性力Ｇｓが小さく、空気の流れから受ける水平方向の力Ｒｓによる影響が大きいため空気の流れに乗って浮遊する。そして、このミストＭが電極板１０２に近づくと、電極板１０２への電圧の印加により発生した電界による引力Ｅｓ（静電気力）を受ける。すると、ミストは、慣性力Ｇｓと空気の流れによる力Ｒｓと電界による引力Ｅｓを合成した合成力Ｓｓが力の釣り合いとなる。しかしながら、ミストＭは、慣性力Ｇｓが小さいことと電界による引力Ｅｓのために、上下方向の速度ベクトルが低下する。
【００９５】
そして、ミストＭは、飛翔を続けるが、吐出によって得た初期の慣性力Ｇｓは次第に小さくなり、光ディスク２の回転による空気の流れに流されたような軌道に近くなる。しかしながら、電極板１０２への電圧の印加により発生した電界による引力Ｅｓ（静電気力）は、ミストＭに作用し続ける。その結果、吐出により印刷ヘッド３１から光ディスク２のレーベル面２ａの方向（図１５では下向き方向）に向けて飛翔していたミストＭの軌道は、次第に、電極板１０２が配置された上向き方向へとその軌道を変えていく。
【００９６】
さらにミストＭは、飛翔を続けると、光ディスク２の回転による空気の流れに乗りながら、かつ等電位面の傾斜に沿いながら、飛翔軌道上の空間の電界ベクトルで生じる引力Ｅｓを更に受ける。そして、ミストＭは、電極板１０２（または、電極板１０２に取り付けられたミスト吸着部１０５）に吸着される。
【００９７】
以上のように、本実施例によれば、光ディスク２が回転駆動する際に生じる一定方向の空気の流れとミスト誘引部１０１によって発生される電界の相乗効果によって、ミストＭをミスト誘引部１０１の電極板１０２に引き寄せ、効率良くミストＭを吸着することができる。これにより、ミストＭによって周囲の装置が汚染されるのを防止又は抑制することができる。
【００９８】
なお、更に効率よくミストを吸着するためには、電極板１０２をミストＭの浮遊量（濃度）が最も高くなっている箇所に配置することが好ましい。以下、図１６〜図１９を参照して、電極板１０２の好適な配置箇所について説明する。図１６及び図１７は、光ディスク２の外周側を印刷する際のインク滴ＮのミストＭの流れの様子を示す斜視図及び平面図である。また、図１８及び図１９は、光ディスク２の内周側を印刷する際のインク滴ＮのミストＭの流れの様子を示す斜視図及び平面図である。なお、図１６〜図１９において、光ディスク２は、時計回りに回転しているものとする。
【００９９】
まず、図１６及び図１７に示すように、印刷ヘッド３１によって光ディスク２の外周側を印刷する際、印刷ヘッド３１から吐出されたインク滴ＮのミストＭは、光ディスク２が回転駆動する際に発生する空気の流れにより、筐体３内を浮遊する。より詳細には、印刷ヘッド３１のインク吐出部３７から吐出されたインク滴ＮのミストＭは、印刷ヘッド３１のインク吐出部３７を発生源として、光ディスク２のレーベル面２ａ上で回転による空気の流れに乗って、光ディスク２の回転方向の下流側、即ち、本実施例の配置では光ディスク２の外周から筐体３の印刷ヘッド３１側の側壁に向かって飛散する（図１６、図１７中の矢印Ｍａ）。
【０１００】
次に、ミストＭは、光ディスク２の最外周の辺部に到達し、その後、最外周の外の光ディスク２の無い場所へ到達して、ミストＭを含む空気流が筐体３の側壁に衝突する（図１６、図１７中の矢印Ｍｂ）。そして、筐体３の側壁に衝突すると、ミストＭは、光ディスク２が回転駆動する際に光ディスク２の辺部とその周囲の筐体３の構造で発生する空気の流れに乗って、筐体３内全体に拡散する。このとき、ミストＭを含む空気流が最外周の外の光ディスク２の無い場所へと到達して筐体３の側壁に衝突した後、ミストＭは、光ディスク２のレーベル面２ａ上だけでなく、光ディスク２のレーベル面２ａと反対側の面、即ち情報記録面の下を通過する空気の流れに乗って、筐体３内全体に拡散する（図１６、図１７中の矢印Ｍｃ）。
【０１０１】
この際、図１７に示すように、ミストＭの浮遊量（濃度）は、インク吐出部３７を基準として、光ディスク２の回転方向下流側の点線で囲んだ領域Ｔが最も高くなっている。そのため、このミストＭの浮遊量（濃度）が最も高くなっている箇所でミストＭを吸着することが、効果的である。特に、ミストＭが光ディスク２の最外周の辺部に到達する前は、光ディスク２のレーベル面２ａ上で濃度が高くなっている。そして、ミストＭが光ディスク２の最外周の辺部に到達した後は、光ディスク２の辺部とその周囲の筐体３内の空間において、光ディスク２のレーベル面２ａ側及び情報記録面側の両方の空間で濃度が高くなっている。
【０１０２】
従って、光ディスク２の外周側を印刷する際には、ミストＭの浮遊量（濃度）が最も高い領域Ｔ（インク吐出部３７に対して光ディスク２の回転方向の下流側）に電極板１０２を配置することが好ましい。これにより、効率良くミストＭを吸着することができ、ミスト誘引部１０１による筐体３内の汚染防止効果を向上させることができる。
【０１０３】
次に、図１８及び図１９に示すように、印刷ヘッド３１によって光ディスク２の内周側を印刷する際、印刷ヘッド３１から吐出されたインク滴ＮのミストＭは、光ディスク２が回転駆動する際に発生する空気の流れにより、筐体３内を浮遊する。より詳細には、光ディスク２の周囲に流れる空気は、図１１に示すように、光ディスク２の回転方向に沿って該光ディスク２の中心から半径方向外側に向かって流れている。そのため、印刷ヘッド３１から吐出されたインク滴ＮのミストＭは、光ディスク２の回転方向に沿って回転しながら、光ディスク２の中心から半径方向外側（外周）に向けて弧を描くように浮遊する（図１８、図１９中の矢印Ｍｄ）。次に、ミストＭは、光ディスク２の最外周の辺部に到達し、光ディスク２の外周から離れて光ディスク２の無い場所へ到達すると、筐体３の側壁に沿って浮遊する（図１８、図１９中の矢印Ｍｅ）。そして、ミストＭは、筐体３内部に流れる空気の流れに乗って、筐体３内部を周回しながら拡散する。
【０１０４】
本実施例の筐体３内部の配置では、ディスク出入口１１とは反対側の奥の方に、ディスクトレイ１２及び光学ピックアップ２３が移動するための空間を備えている。そのため、ミストＭは、筐体３内部を周回した後、再び光ディスク２の回転による空気流で、光ディスク２の近傍に接近する（図１８、図１９中の矢印Ｍｆ）。そして、ミストＭは、光ディスク２のレーベル面２ａ上及び情報記録面の下を通過する空気の流れに乗って、筐体３内に更に拡散していく。
【０１０５】
この際、図１９に示すように、ミストＭの浮遊量（濃度）は、インク吐出部３７を基準として、光ディスク２の回転方向下流側の点線で囲んだ領域Ｕが最も高くなっている。そのため、ミストＭの浮遊量（濃度）が最も高くなっている箇所でミストＭを吸着することが、効果的である。従って、光ディスク２の内周側を印刷する際には、ミストＭの浮遊量（濃度）が最も高い領域Ｕ（インク吐出部３７に対して光ディスク２の回転方向の下流側）に電極板１０２を配置することが好ましい。これにより、効果的にミストＭを吸着することができ、ミスト誘引部１０１による筐体３内の汚染防止効果を向上させることができる。
【０１０６】
なお、本実施の形態では、印刷ヘッド３１を接地（０Ｖ）し、電極板１０２のみに電圧（例えば、−２ｋＶ）を印加した例を説明したが、これに限定されるものではない。例えば、電極板１０２に電圧を印加すると共に、印刷ヘッド３１に電極板１０２と反対の極性の電圧（例えば、−２ｋＶとは反対の＋２ｋＶ）を印加して印刷ヘッド３１から吐出するインク滴Ｎ及びミストＭに電圧を印加させてもよい。これにより、より大きな電位差を印加できるなど印刷ヘッド３１と電極板１０２の電位をそれぞれ適切に設定することで、ミストＭが異なる極性の電圧を有する電極板１０２に引き寄せられ易くなり、より効果的にミストＭを吸着することができる。
【０１０７】
また、本実施の形態では、電極板１０２を、筐体３を構成するシャーシプレート１７の下面側に取り付けた例を説明した。しかしながら、電極板１０２の取り付け箇所は、これに限定されるものではない。例えば、シャーシプレート１７の下面側にさらに構造物があった場合は、電極板１０２を、光ディスク２のレーベル面２ａと対向してミストＭが通過する空間となる構造物の下部に取り付けてもよい。
【０１０８】
更に、本実施の形態例では、印刷ヘッド３１とトレイ本体１４を接地（０Ｖ）し、電極板１０２のみに電圧（例えば、−２ｋＶ）を印加した例を説明したが、印刷ヘッド３１、トレイ本体１４及び電極板１０２との領域に形成される電界の強度は、２００ｋＶ／ｍ以上となるように、高電圧電源部１０３から電極板１０２に電圧が印加されることが好ましい。電界の強度が２００ｋＶ／ｍ未満となる場合には、ミストＭを十分に捕集することが難しくなる場合があるためである。
【０１０９】
ここで、電界強度とミストＭの捕集吸着効果との関係について、本発明者らが行った実験の結果について説明する。この実験では、電極板１０２とトレイ本体１４との間が最も近接した場所でのギャップ（離間距離）を４ｍｍとし、電極板１０２に印加する電圧を変化させて、ミストＭの飛散状況を光ディスク２の情報記録面の汚れ具合により確認した。その結果、下記表１に示すような結果が得られた。
【０１１０】
【表１】
0004978479.tif 000002
【０１１１】
表１に示すように、２００ｋＶ／ｍ以上の電界強度でミスト捕集の効果が得られた。また、４００ｋＶ／ｍ以上の電界強度で、光ディスク２の情報記録面にほとんどミストＭが付着しない程度に、十分にミストを捕集できることが確認された。
【０１１２】
なお、表１では電界強度の定義として電極板１０２とトレイ本体１４との間が最も近接した場所でのギャップ（離間距離）を基準としているのに対して、トレイ本体１４にあるディスク収納部１３の凹部においては、ギャップ（離間距離）が４ｍｍから更に大きく７〜９ｍｍとなっている。そのため実験においては、光ディスク２の近傍における場所の違いによっては、その場所の電界強度が表１の電界強度の約半分以下になる場所もあった。よって、電界が弱い場所での電界強度を基準にするならば、電界の強度は１００ｋＶ／ｍ以上であって、より好ましくは、２００ｋＶ／ｍ以上であれば十分なミスト捕集の効果を得ることができる。
【０１１３】
図２０及び図２１は、ミスト誘引部の第２の実施形態の例を示すものである。この第２の実施形態の例に係るミスト誘引部１０１Ａ、１０１Ｄは、光ディスク２のレーベル面２ａと対向する電極板１０２に加えて、光ディスク２の半径方向外側である側面と対向する位置に第２の電極板１０２Ａ、１０２Ｄを配置したものである。即ち、上面部５ａの内側に第１の電極板１０２を配置すると共に、トレイ本体１４の上面の一側（ディスク装着部２０を中心として印刷ヘッド３１側）に略平板状の第２の電極板１０２Ａを配置している。第２の電極板１０２Ａは、トレイ本体１４の上面に略垂直をなして取り付けられ、その上端が第１の電極板１０２に接触している。そして、この第１及び第２の電極板１０２、１０２Ａは、電気的に接続している。
【０１１４】
また、トレイ本体１４の上面の第２の電極板１０２Ａを配置した反対側（ディスク装着部２０を中心として印刷ヘッド３１とは反対側）に略平板状の第２の電極板１０２Ｄを配置している。第２の電極板１０２Ｄは、トレイ本体１４の上面に略垂直をなして取り付けられ、その上端が第１の電極板１０２に接触している。そして、この第１及び第２の電極板１０２、１０２Ｄは、電気的に接続している。
【０１１５】
その他の構成は、前記第１の実施の例に係るミスト誘引部１０１と同様であるため、それらの説明は省略する。このような、構成を有するミスト誘引部１０１Ａ、１０１Ｄによっても、前述した第１の実施の例に係るミスト誘引部１０１と同様の効果を得ることができる。
【０１１６】
また、本実施の形態例に係るミスト誘引部１０１Ａでは、図１６、図１７の矢印Ｍｂで示したような筐体３の側壁に向かって浮遊するミストＭを第２の電極板１０２Ａによって吸着することができる。そのため、第２の電極板１０２Ａが無かった場合には筐体３の側壁に衝突して拡散するはずであったミストＭを吸着することができる。そのとき、第２の電極板１０２Ａの効果によって、図２０中に示した複数の破線Ｍ（ミストＭ）のように第１の電極板１０２及び第２の電極板１０２Ａへの電圧の印加により発生した電界による引力を受けて、第１及び第２の電極板１０２、１０２Ａに向かってミストＭを吸着させることができる。その結果、光ディスク２のレーベル面２ａ上及び情報記録面の下を通過する空気の流れの中に含まれる、図１６、図１７の矢印Ｍｃで示したように浮遊するはずであったミストＭを吸着することができる。
【０１１７】
従って、このミスト誘引部１０１Ａによれば、前述した光ディスク２のレーベル面２ａと対向する位置にだけ電極板１０２を設けたミスト誘引部１０１よりもミストＭの吸着効率を向上させることができる。
なお、第２の電極板１０２Ａは、光ディスク２の外周の辺部に近づけるように筐体３の側壁から離間して配置しても良いし、第２の電極板１０２Ａを保持し易いように筐体３の側壁に接するように固定しても良い。
【０１１８】
また、同様に本実施の形態例に係るミスト誘引部１０１Ｄでは、図１８、図１９の矢印Ｍｅで示したような筐体３の側壁に沿って浮遊するミストＭを、第２の電極板１０２Ｄによって吸着することができる。すなわち、第２の電極板１０２Ｄが無かった場合には筐体３の側壁に衝突して拡散するはずであったミストＭを吸着することができる。そのとき、第２の電極板１０２Ｄの効果によって、第１の電極板１０２及び第２の電極板１０２Ｄへの電圧の印加により発生した電界による引力を受けて、第１及び第２の電極板１０２、１０２Ｄに向かってミストＭを吸着させることができる。その結果、筐体３内部を周回した後に光ディスク２のレーベル面２ａ上及び情報記録面の下を通過する空気の流れの中に含まれる、図１８、図１９の矢印Ｍｆで示したように浮遊するはずであったミストＭを吸着することができる。
【０１１９】
従って、このミスト誘引部１０１Ｄによれば、前述した光ディスク２のレーベル面２ａと対向する位置にだけ電極板１０２を設けたミスト誘引部１０１よりもミストＭの吸着効率を向上させることができる。
なお、第２の電極板１０２Ｄは、光ディスク２の外周の辺部に近づけるように筐体３の側壁から離間して配置しても良いし、第２の電極板１０２Ｄを保持し易いように筐体３の側壁に接するように固定しても良い。
【０１２０】
なお、本実施の形態では、図２１に示すように、第２の電極板１０２Ａを平板状に形成した例を説明したが、これに限定されるものではない。例えば、図２２に示すように、第２の電極板１０２Ａを光ディスク２の外周面に対応して曲面形状に形成してもよい。また、本実施の形態では、図２１及び図２２に示すように、トレイ本体１４の上面の一側に第２の電極板１０２Ａを設けた例を説明しているが、図２１及び図２２では図示しなかった他側（ディスク装着部２０を中心として印刷ヘッド３１と反対側）にも、図２０に示すように第２の電極１０２Ｄを設けてもよいことは勿論である。その際、図２２に示した第２の電極板１０２Ａと同様に、図２２には図示しない第２の電極板１０２Ｄを光ディスク２の外周面に対応して曲面形状に形成してもよい。
【０１２１】
更に、本実施の形態では、第２の電極１０２Ａ、１０２Ｄをトレイ本体１４の上面に略垂直をなして取り付けた例を説明したが、これに限定されるものではなく、例えば、筐体３の側壁の近傍にあるベース板４の側面部４ａや上面板５の側面部５ｂに取り付けてもよい。
【０１２２】
図２３及び図２４は、ミスト誘引部の第３の実施形態の例を示すものである。この第３の実施形態の例に係るミスト誘引部１０１Ｂ、１０１Ｅは、光ディスク２のレーベル面２ａと対向する電極板１０２に加えて、光ディスク２のレーベル面２ａと反対側の情報記録面と対向する位置に第３の電極板１０２Ｂ、１０２Ｅを配置したものである。即ち、シャーシプレート１７の下面側に第１の電極板を配置すると共に、ディスク収納部１３の一側（ディスク装着部２０を中心として印刷ヘッド３１側）に第３の電極板１０２Ｂを配置している。そして、この第３の電極板１０２Ｂは、ディスク収納部１３の凹部に対応して略クランク状に形成されている。更に、第３の電極板１０２Ｂに所定の電圧を印加する第２の高電圧電源部１０３Ａが設けられている。
【０１２３】
また、ディスク収納部１３の第３の電極板１０２Ｂを配置した反対側（ディスク装着部２０を中心として印刷ヘッド３１とは反対側）に第３の電極板１０２Ｅを配置している。第３の電極板１０２Ｅは、ディスク収納部１３の凹部に対応して略クランク状に形成されている、更に、第３の電極板１０２Ｅに所定の電圧を印加する図示しない第２の高電圧電源部が設けられている。
【０１２４】
その他の構成は、前記第１の実施の例に係るミスト誘引部１０１と同様であるため、それらの説明は省略する。このような、構成を有するミスト誘引部１０１Ｂ、１０１Ｅによっても、前述した第１の実施の例に係るミスト誘引部１０１と同様の効果を得ることができる。
【０１２５】
なお、本実施の形態例に係るミスト誘引部１０１Ｂによれば、図１６、図１７の矢印Ｍｃで示したような光ディスク２の情報記録面側を浮遊するミストＭを、第３の電極板１０２Ｂによって吸着することができる。そのとき、第３の電極板１０２Ｂの効果によって、図２３中に示した複数の破線Ｍ（ミストＭ）のように第１の電極板１０２及び第３の電極板１０２Ｂへの電圧の印加により発生した電界による引力を受けて、第１及び第３の電極板１０２、１０２Ｂに向かってミストＭを吸着させることができる。その結果、光ディスク２のレーベル面２ａ上及び情報記録面の下を通過する空気の流れの中に含まれる、図１６、図１７の矢印Ｍｃで示したように浮遊するはずであったミストＭを吸着することができる。
【０１２６】
これにより、ミストＭが光ディスク２の情報記録面側に浮遊して光学ピックアップ２３のピックアップレンズやその他の機器等に付着して汚染するのを防止することができる。更に、ミストＭが、光ディスク２の情報記録面に付着して情報の記録及び／又は再生ができなくなることを防ぐこともできる。従って、このミスト誘引部１０１Ｂによれば、前述した光ディスク２のレーベル面２ａと対向する位置にだけ電極板１０２を設けたミスト誘引部１０１よりもミストＭの吸着効率を向上させることができる。
【０１２７】
また、同様に本実施の形態例に係るミスト誘引部１０１Ｅによれば、図１８、図１９の矢印Ｍｅで示したように筐体３の側壁に沿って浮遊するミストＭを、第３の電極板１０２Ｅによって吸着することができる。即ち、第３の電極板１０２Ｅが無かった場合にはミストＭを筐体３の側壁に沿って拡散するはずであったミストＭを吸着することができる。そのとき、第２の電極板１０２Ｅの効果によって、第１の電極板１０２及び第３の電極板１０２Ｅへの電圧の印加により発生した電界による引力を受けて、第１及び第３の電極板１０２、１０２Ｅに向かってミストＭを吸着させることができる。その結果、筐体３内部を周回した後に光ディスク２のレーベル面２ａ上及び情報記録面の下を通過する空気の流れの中に含まれる、図１８、図１９の矢印Ｍｆで示したように浮遊するはずであったミストＭを吸着することができる。
【０１２８】
従って、このミスト誘引部１０１Ｅによれば、前述した光ディスク２のレーベル面２ａと対向する位置にだけ電極板１０２を設けたミスト誘引部１０１よりもミストＭの吸着効率を向上させることができる。
【０１２９】
また、本実施の形態では、第３の電極板１０２Ｂ、１０２Ｅを、ディスク収納部１３に取り付けた例を説明したが、これに限定されるものではない。第３の電極板１０２Ｂ、１０２Ｅは、光ディスク２を間に介して第１の電極板１０２と対向する位置、及び／又は光ディスク２の情報記録面側に配置されていればよく、例えば、筐体３を構成するベース板４の上面に取り付けてもよい。
【０１３０】
図２５及び図２６は、ミスト誘引部の第４の実施形態の例を示すものである。この第４の実施形態の例に係るミスト誘引部１０１Ｃは、前述した第２の実施形態の例に係るミスト誘引部１０１Ａと第３の実施形態の例に係るミスト誘引部１０１Ｂを合わせたものである。即ち、光ディスク２のレーベル面２ａと対向する電極板１０２に加えて、光ディスク２の側面（半径方向外側）と対向する位置に第２の電極板１０２Ａと光ディスク２の情報記録面と対向する位置に第３の電極板１０２Ｂを配置したものである。
【０１３１】
また、この第４の実施形態の例に係るミスト誘引部１０１Ｆは、前述した第２の実施形態の例に係るミスト誘引部１０１Ｄと第３の実施形態の例に係るミスト誘引部１０１Ｅを合わせたものである。即ち、光ディスク２のレーベル面２ａと対向する電極板１０２に加えて、第２の電極板１０２Ａを配置した反対側（ディスク装着部２０を中心として印刷ヘッド３１とは反対側）に略平板状の第２の電極板１０２Ｄと、第３の電極板１０２Ｂを配置した反対側（ディスク装着部２０を中心として印刷ヘッド３１とは反対側）に第３の電極板１０２Ｅを配置したものである。
【０１３２】
その他の構成は、前記第１の実施の例に係るミスト誘引部１０１と同様であるため、それらの説明は省略する。このような、構成を有するミスト誘引部１０１Ｃ、１０１Ｆによっても、前述した第１の実施の例に係るミスト誘引部１０１と同様の効果を得ることができる。
【０１３３】
なお、第４の実施形態の例に係るミスト誘引部１０１Ｃによれば、図１６、図１７の矢印Ｍｂで示したような筐体３の側壁に向かうミストＭと、図１６、図１７の矢印Ｍｃで示したような光ディスク２の情報記録面側を浮遊するミストＭを効率よく吸着することができ、筐体３内部の清浄性を更に高めることができる。そのとき、第２の電極板１０２Ａと第３の電極板１０２Ｂとの効果によって、図２５中に示した複数の破線Ｍ（ミストＭ）のように、第１〜第３の電極板１０２〜１０２Ｂへの電圧の印加により発生した電界による引力を受けて、第１〜第３の電極板１０２〜１０２Ｂに向かってミストＭを吸着させることができる。
【０１３４】
そのため、筐体３内を浮遊するミストＭを極めて少なくすることができ、光学ピックアップ２３のピックアップレンズやその他の装置がミストＭによって汚染されるのを効率良く防止することができる。更に、浮遊するミストＭが極めて少なくなることで、筐体３内の特にユーザが触れる場所や見える場所の汚れを少なくすることができる。その結果、ユーザの皮膚や着衣に汚れが付着することを防止することが可能である。また、ユーザが触れる場所や見える場所の汚れがあると、ユーザに機器の動作不良等の疑念を抱かせるおそれがあるが、筐体３内部を清潔に保つことで、ユーザに機器の動作不良等の疑念を解消することができる。
【０１３５】
なお、この実施例に係るミスト誘引部１０１Ｃによっても、第２の実施例に係るミスト誘引部１０１Ａと同様に、図２７に示すように、光ディスク２の半径方向外側である側面と対向する第２の電極１０２Ａを、光ディスク２の外周面に対応して曲面形状に形成してもよい。
【０１３６】
また、同様に、第４の実施形態の例に係るミスト誘引部１０１Ｆによれば、図１８、図１９の矢印Ｍｅで示したように筐体３の側壁に沿ってミストＭと、図１８、図１９の矢印Ｍｆで示したように筐体３内部を周回した後に光りディスク２のレーベル面２ａ上及び情報記録面の下を通過する空気の流れの中に含まれるミストＭを効率よく吸着することができる。これにより、筐体３内部の清浄性を更に高めることができる。その時、第２の電極板１０２Ｄと第３の電極板１０２Ｅとの効果によって、第１〜第３の電極板１０２〜１０２Ｅへの電圧の印加により発生した電界による引力を受けて、第１〜第３の電極板１０２〜１０２Ｅに向かってミストＭを吸着させることができる。
【０１３７】
そのため、筐体３内を浮遊するミストＭを極めて少なくすることができ、光学ピックアップ２３のピックアップレンズやその他の装置がミストＭによって汚染されるのを効率良く防止することができる。更に、浮遊するミストＭが極めて少なくなることで、筐体３内の特にユーザが触れる場所や見える場所の汚れを少なくすることができる。
【０１３８】
なお、この実施例に係るミスト誘引部１０１Ｆによっても、図２７に示した光ディスク２の半径方向外側である側面と対向する第２の電極板１０２Ａと同様に、図２７に図示しない第２の電極板１０２Ｄを、光ディスク２の外周面に対応して曲面形状に形成してもよい。
【０１３９】
以上説明したように、本発明によれば、電極板に所定の電圧を印加することにより電界を発生させて静電気力によってミストを誘引し吸着するミスト誘引部を設けた。そのため、印刷時に発生するミストを吸着することができ、光学ピックアップのピックアップレンズやその他の機器等にミストが付着して汚染するのを防止することができる。また、ミスト誘引部を構成する電極板の光ディスクと対向する面に、非透過部とミスト吸着部を設けたため、電極板にミストの水分が付着して漏電、放電及び感電することを防止することができる。
【０１４０】
本発明は、前述しかつ図面に示した実施の形態に限定されるものではなく、その要旨を逸脱しない範囲内で種々の変形実施が可能である。例えば、前記実施の例では、ＤＶＤ−ＲＷを記録媒体として用いた例について説明したが、光磁気ディスクや磁気ディスク等を用いた他の記録方式の記録媒体を使用した印刷装置を有する光ディスク装置に適用できるものである。更に、本発明に係るディスク記録及び／又は再生装置としては、記録と再生の双方が可能な光ディスク記録再生装置に限定されるものではなく、この種の印刷装置を用いることができるディスク記録又はディスク再生装置、或いは撮像装置、パーソナルコンピュータ、電子辞書、カーナビゲーションその他各種の電子機器に適用できるものである。
【図面の簡単な説明】
【０１４１】
【図１】本発明のディスク記録及び／又は再生装置の第１の実施の形態に係るディスクトレイ方式の光ディスク装置であって、ディスクトレイを飛び出した状態の斜視図である。
【図２】本発明のディスク記録及び／又は再生装置の第１の実施の形態を示す光ディスク装置であって、筐体の上面板を取り除いた状態の斜視図である。
【図３】本発明のディスク記録及び／又は再生装置の第１の実施の形態を示す光ディスク装置であって、筐体の上面板を取り除いた状態の平面図である。
【図４】図２に示す光ディスク装置から更に印刷装置を取り除いた状態の斜視図である。
【図５】本発明のディスク記録及び／又は再生装置の第１の実施の形態を示す光ディスク装置に係る印刷装置の第１の実施の形態を示す斜視図である。
【図６】本発明のディスク記録及び／又は再生装置の第１の実施の形態を示す光ディスク装置に係る印刷装置の印刷ヘッドとディスクドライブ装置の光学ピックアップと光ディスクの位置関係を説明する斜視図である。
【図７】本発明のディスク記録及び／又は再生装置の第１の実施の形態を示す光ディスク装置に係る印刷装置の印刷ヘッドとディスクドライブ装置の光学ピックアップと光ディスクの位置関係を説明する側面図である。
【図８】図７に示すＷ−Ｗ線部分を断面した印刷ヘッド組立体の説明図である。
【図９】本発明のディスク記録及び／又は再生装置の第１の実施の形態を示す光ディスク装置に係る印刷装置の印刷ヘッド組立体をインク吐出部側から見た斜視図である。
【図１０】本発明のディスク記録及び／又は再生装置の第１の実施の形態に係る光ディスク装置の制御部の概略構成を示すブロック説明図である。
【図１１】ディスク状記録媒体が回転駆動する際に発生する空気の流れを示す説明図である。
【図１２】本発明のディスク記録及び／又は再生装置の第１の実施の形態を示す光ディスク装置に係る印刷装置の印刷ヘッドからインク滴が吐出した状態を説明するもので、図１２Ａはディスク状記録媒体が回転していない状態を示す説明図、図１２Ｂはディスク状記録媒体が回転駆動した状態を示す説明図である。
【図１３】本発明のディスク記録及び／又は再生装置の第１の実施の形態を示す光ディスク装置に係るミスト誘引部の第１の実施例を断面して示す説明図である。
【図１４】本発明のディスク記録及び／又は再生装置の第１の実施の形態を示す光ディスク装置に係るミスト誘引部の電極板を示す断面図である。
【図１５】本発明のディスク記録及び／又は再生装置の第１の実施の形態を示す光ディスク装置に係るミスト誘引部によるミストの吸着動作を示す説明図である。
【図１６】本発明のディスク記録及び／又は再生装置の第１の実施の形態を示す光ディスク装置に係る印刷装置の印刷ヘッドがディスク状記録媒体の外周側を印刷する際に発生するミストの流れの状態を斜視図である。
【図１７】本発明のディスク記録及び／又は再生装置の第１の実施の形態を示す光ディスク装置に係る印刷装置の印刷ヘッドがディスク状記録媒体の外周側を印刷する際に発生するミストの流れの状態を平面図である。
【図１８】本発明のディスク記録及び／又は再生装置の第１の実施の形態を示す光ディスク装置に係る印刷装置の印刷ヘッドがディスク状記録媒体の内周側を印刷する際に発生するミストの流れの状態を斜視図である。
【図１９】本発明のディスク記録及び／又は再生装置の第１の実施の形態を示す光ディスク装置に係る印刷装置の印刷ヘッドがディスク状記録媒体の内周側を印刷する際に発生するミストの流れの状態を平面図である。
【図２０】本発明のディスク記録及び／又は再生装置の第１の実施の形態を示す光ディスク装置に係るミスト誘引部の第２の実施例を断面して示す説明図である。
【図２１】本発明のディスク記録及び／又は再生装置の第１の実施の形態を示す光ディスク装置に係るミスト誘引部の第２の実施例を模式的に示す斜視図である。
【図２２】本発明のディスク記録及び／又は再生装置の第１の実施の形態を示す光ディスク装置に係るミスト誘引部の第２の実施例の変形例を模式的に示す斜視図である。
【図２３】本発明のディスク記録及び／又は再生装置の第１の実施の形態を示す光ディスク装置に係るミスト誘引部の第３の実施例を断面して示す説明図である。
【図２４】本発明のディスク記録及び／又は再生装置の第１の実施の形態を示す光ディスク装置に係るミスト誘引部の第３の実施例を模式的に示す斜視図である。
【図２５】本発明のディスク記録及び／又は再生装置の第１の実施の形態を示す光ディスク装置に係るミスト誘引部の第４の実施例を断面して示す説明図である。
【図２６】本発明のディスク記録及び／又は再生装置の第１の実施の形態を示す光ディスク装置に係るミスト誘引部の第４の実施例を模式的に示す斜視図である。
【図２７】本発明のディスク記録及び／又は再生装置の第１の実施の形態を示す光ディスク装置に係るミスト誘引部の第４の実施例の変形例を模式的に示す斜視図である。
【符号の説明】
【０１４２】
１…光ディスク装置（ディスク記録及び／又は再生装置）、  ２…光ディスク（ディスク状記録媒体）、  ２ａ…レーベル面、  ３…筐体、  ４…ベース板、  ５…上面板、  ６…前面板、  ７…背面板、  ９…ディスクドライブ装置、  １０…印刷装置、  １１…ディスク出入口、  １２…ディスクトレイ、  １３…ディスク収納部、  １４…トレイ本体、  １７…シャーシプレート、  ２０…ディスク装着部、  ２３…光学ピックアップ（ピックアップ装置）、  ３１…印刷ヘッド、  ３７…インク吐出部、  １０１，１０１Ａ，１０１Ｂ，１０１Ｃ，１０１Ｄ，１０１Ｅ，１０１Ｆ…ミスト誘引部、  １０２、１０２Ａ，１０２Ｂ，１０２Ｄ，１０２Ｅ…電極板、  １０３…高電圧電源部、  １０５…ミスト吸着部、  １０６…非透過部、  Ｎ…インク滴、  Ｍ…  ミスト
【図１】
0004978479.tif 000003
【図２】
0004978479.tif 000004
【図３】
0004978479.tif 000005
【図４】
0004978479.tif 000006
【図５】
0004978479.tif 000007
【図６】
0004978479.tif 000008
【図７】
0004978479.tif 000009
【図８】
0004978479.tif 000010
【図９】
0004978479.tif 000011
【図１０】
0004978479.tif 000012
【図１１】
0004978479.tif 000013
【図１２】
0004978479.tif 000014
【図１３】
0004978479.tif 000015
【図１４】
0004978479.tif 000016
【図１５】
0004978479.tif 000017
【図１６】
0004978479.tif 000018
【図１７】
0004978479.tif 000019
【図１８】
0004978479.tif 000020
【図１９】
0004978479.tif 000021
【図２０】
0004978479.tif 000022
【図２１】
0004978479.tif 000023
【図２２】
0004978479.tif 000024
【図２３】
0004978479.tif 000025
【図２４】
0004978479.tif 000026
【図２５】
0004978479.tif 000027
【図２６】
0004978479.tif 000028
【図２７】
0004978479.tif 000029